(57)【要約】【課題】投写型画像表示装置のさまざまな設置姿勢において、ランプ光源を適正な温度でムラなく冷却できる照明装置を得る。【解決手段】ランプ光源３を収納するランプユニット１０にランプ光源３に冷却風を導く冷却風入口５を設置し、ランプユニット１０はランプ光源３の光軸を軸に回転可能にする。冷却風発生装置６で発生させた冷却風を送る風路７を風路７ａと風路７ｂに分岐させ、それぞれの風路出口７ａａと風路出口７ｂｂはランプユニット１０の外周に向けられ、風路出口７ａａまたは風路出口７ｂｂのいずれか一つの風路出口と冷却風入口５を対向させ冷却風をランプ光源３に導く。【選択図】図３
2013076729.tif 000002
【特許請求の範囲】
【請求項１】
光を照射するランプ光源と、
前記ランプ光源を収納するランプユニットと、
前記ランプ光源を冷却する冷却風を発生させる冷却風発生装置と、
前記冷却風発生装置で発生させた冷却風を分岐させて、前記ランプ光源に導く複数の風路と、
前記ランプユニットに設置され、冷却風を前記ランプ光源に導入する冷却風入口と、
を備え、
前記ランプユニットは、前記ランプ光源の光軸を軸に回転できるように保持され、
前記複数の風路の風路出口は、前記ランプユニットの外周に向かって設置され、
前記複数の風路の風路出口のうちのいずれか一つの風路出口が前記冷却風入口と対向して冷却風を前記ランプ光源に導くことを特徴とする照明装置。
【請求項２】
前記ランプユニットは、脱着が可能であり、前記複数の風路の風路出口のうちのいずれか一つの風路出口と前記冷却風入口とを対向させる取り付け位置を複数有することを特徴とする請求項１に記載の照明装置。
【請求項３】
前記ランプユニットに回転力を与える回転手段を備えることを特徴とする請求項１に記載の照明装置。
【請求項４】
光を照射するランプ光源と、
前記ランプ光源を冷却する冷却風を発生させる冷却風発生装置と、
前記冷却風発生装置で発生させた冷却風を分岐させて、前記ランプ光源に導く複数の風路と、
前記ランプ光源に設置され、冷却風を前記ランプ光源に導入する冷却風入口と、
を備え、
前記ランプ光源は、前記ランプ光源の光軸を軸に回転できるように保持され、
前記複数の風路の風路出口は、前記ランプ光源の外周に向かって設置され、
前記複数の風路の風路出口のうちのいずれか一つの風路出口が前記冷却風入口と対向して冷却風を前記ランプ光源に導くことを特徴とする照明装置。
【請求項５】
前記ランプ光源は、脱着が可能であり、前記複数の風路の風路出口のうちのいずれか一つの風路出口と前記冷却風入口とを対向させる取り付け位置を複数有することを特徴とする請求項４に記載の照明装置。
【請求項６】
前記ランプ光源に回転力を与える回転手段を備えることを特徴とする請求項４に記載の照明装置。
【請求項７】
請求項１から６のいずれか一項記載の照明装置と、
前記照明装置を光源として画像をスクリーン上に投写する投写手段と、
を備えることを特徴とする投写型画像表示装置。
【請求項８】
請求項１から３のいずれか一項記載の照明装置と、
前記照明装置を光源として画像をスクリーン上に投写する投写手段と、
前記ランプユニットが設置された位置情報を検出する検出手段と、
前記検出手段により検出された前記ランプユニットの位置情報に連動して、前記投写手段によってスクリーンに投写された画像の上下位置を切換える表示切換手段と、
を備えることを特徴とする投写型画像表示装置。
【請求項９】
請求項４から６のいずれか一項記載の照明装置と、
前記照明装置を光源として画像をスクリーン上に投写する投写手段と、
前記ランプ光源が設置された位置情報を検出する検出手段と、
前記検出手段により検出された前記ランプ光源の位置情報に連動して、前記投写手段によってスクリーンに投写された画像の上下位置を切換える表示切換手段と、
を備えることを特徴とする投写型画像表示装置。
【請求項１０】
請求項３または６に記載の照明装置と、
前記照明装置を光源として画像をスクリーン上に投写する投写手段と、
前記投写手段で投写された画像の上下位置を正しく表示させる切換スイッチと、
前記切換スイッチの指示によって投写する画像表示の上下位置を切換える表示切換手段と、
前記表示切換手段の画像表示の切換えに連動して前記回転手段に駆動力を伝える駆動手段と、
を備えることを特徴とする投写型画像表示装置。
【発明の詳細な説明】
【技術分野】
【０００１】
この発明は、照明装置および照明装置を光源とする投写型画像表示装置に関するものである。
【背景技術】
【０００２】
従来の投写型画像表示装置では、冷却ファンからランプ光源に冷却風を導く風路を２つ設置し、さらに風路内に複数の開閉装置を取り付けてあり、投写型画像表示装置の設置姿勢に応じ複数の開閉装置を操作することによって２つの風路のうちの一つからランプ光源の相対的に高温になる部位に冷却風を送風している。（特許文献１参照）
また、従来の投写型画像表示装置では、２つ以上の冷却ファンを設置し、投写型画像表示装置の設置姿勢に応じて、２つ以上の冷却ファンの風量を調整して相対的に高温であるランプ光源の発光管上部から相対的に低温である発光管下部に冷却風が流れるようにしている。（特許文献２参照）
【先行技術文献】
【特許文献】
【０００３】
【特許文献１】特許第４２８１４２９号公報
【特許文献２】特許第４５８２１３９号公報
【発明の概要】
【発明が解決しようとする課題】
【０００４】
従来の投写型画像表示装置に使用する光源となる照明装置は、主に発光管とリフレクターを用いている。発光管は透明なガラスで覆われその内部にはガスが封止されており、発光管に電気を通じた際に内部で発生したアーク放電がガスに衝突することによって光を発生させる。発光管内部で発生した光はガラスを透過して、反射面となっているリフレクターで反射され前方に照射されるが、発光管で発生した光の一部は発光管やリフレクターで吸収されることによって、その光は熱に変化し非常に高温になるため、冷却装置で冷却する必要がある。しかしながら、冷却が不足して発光管を高温の状態で使用すると、発光管の白濁や変形が発生して輝度低下や短寿命の原因となり、冷却しすぎて発光管を低温の状態で使用すると、発光管内のガスが未蒸発となって輝度低下や短寿命、発光スペクトル特性の劣化の原因となるため、発光管が適度な温度になるように冷却しなければならないが、発光管は、相対的に上部が高温で、下部が低温になるので、使用許容温度の範囲で発光管の各部位の温度が均一な分布になるように、冷却風の送風量や送風方向を工夫する必要がある。
【０００５】
しかしながら、照明装置を光源とする投写型画像表示装置は天吊り設置と床設置の両方に対応するため、発光管やリフレクターや冷却機構が天地逆になっても適正な冷却ができるようにしなければならないため、部品の追加や特殊な機構、構造を備えなければならず、製品コストの増加や製品の大型化、重量の増加の原因となっている。
【０００６】
この発明に係る照明装置は、上記のような問題点を解消するためになされたもので、投写型画像表示装置のさまざまな設置姿勢においても、発光管の温度が適正で均一な分布になるように冷却することができる照明装置を得ることを目的とするものである。
【課題を解決するための手段】
【０００７】
この発明に係る照明装置においては、光を照射するランプ光源と、ランプ光源を収納するランプユニットと、ランプユニットに設置された冷却風入口と、ランプ光源を冷却する冷却風を発生させる冷却風発生装置と、冷却風発生装置で発生させた冷却風を送る複数分岐する風路と、を備えたもので、ランプユニットはランプ光源の光軸を軸に回転可能である。
【発明の効果】
【０００８】
この発明に係る照明装置においては、投写型画像表示装置のさまざまな設置姿勢においても、発光管の温度が適正で均一な分布になるように冷却することができる。
【図面の簡単な説明】
【０００９】
【図１】本発明の実施の形態１を示す照明装置を備えた投写型画像表示装置の構成を示すブロック図である。
【図２】本発明の実施の形態１を示す照明装置の通常設置時（床置き）の側面図である。
【図３】本発明の実施の形態１を示す照明装置の通常設置時（床置き）の正面図である。
【図４】本発明の実施の形態１を示す照明装置の天地逆設置時（天吊り）の正面図である。
【図５】本発明の実施の形態２を示す照明装置の通常設置時（床置き）の正面図である。
【図６】本発明の実施の形態２を示す照明装置の天地逆設置時（天吊り）の正面図である。
【図７】本発明の実施の形態３を示す照明装置の通常設置時（床置き）の側面図である。
【図８】本発明の実施の形態３を示す照明装置の通常設置時（床置き）の正面図である。
【図９】本発明の実施の形態３を示す照明装置の天地逆設置時（天吊り）の正面図である。
【図１０】本発明の実施の形態４を示す照明装置の側面図である。
【図１１】本発明の実施の形態５を示す照明装置の構成を示す図である。
【図１２】本発明の実施の形態６を示す照明装置の側面図である。
【図１３】本発明の実施の形態７を示す照明装置を備えた投写型画像表示装置の構成を示すブロック図である。
【図１４】本発明の実施の形態８を示す照明装置を備えた投写型画像表示装置の構成を示すブロック図である。
【発明を実施するための形態】
【００１０】
実施の形態１．
図１は本発明の実施の形態１を示す照明装置を備えた投写型画像表示装置の構成を示すブロック図である。図１において、投写型画像表示装置３１は、照明装置１２と、照明装置１２の照射する光を複数の色光に分離する色分離手段２０と、色分離手段２０で分離された色光をそれぞれ変調し画像を形成する変調手段２１と、変調手段２１で変調されたそれぞれの色光の画像を合成する合成手段２２と、合成手段２２で合成された画像をスクリーン上に投写する投写手段２３と、を備える。
【００１１】
図２は本発明の実施の形態１を示す照明装置の通常設置時の側面図、図３は本発明の実施の形態１を示す照明装置の通常設置時の正面図、図４は本発明の実施の形態１を示す照明装置の天地逆設置時の正面図である。図２から図４において、照明装置１２は、ランプユニット１０と、冷却装置１１と、を備える。ランプユニット１０は、光を照射するランプ光源３と、ランプ光源３の前方開口部分を保持し収納する円柱状のＡ筺体４aと、ランプ光源３の後方部分を保持し収納する四角柱状のB筺体４ｂと、ランプ光源３に冷却風を導くＡ筺体４ａに設置された冷却風入口５と、ランプ光源３が照射した光を透過させる透過板８とを備える。ランプ光源３は光を発光する発光管１と、発光管１が発光した光を一方向に反射させるリフレクター２と、を備える。ランプユニット１０はランプ光源３の光軸１５を軸にして冷却風入口５およびランプ光源３とともに回転可能となるように保持される。冷却装置１１は冷却風を発生させる冷却風発生装置６と、冷却風をランプ光源３の冷却風入口５に導く風路７と、を備える。風路７は風路７ａと風路７ｂに分岐し、風路出口７ａａと風路出口７ｂｂはランプユニット１０のＡ筺体４ａの外周に向かって設置され、風路出口７ａａまたは風路出口７ｂｂのいずれか一つの風路出口と前記冷却風入口５が対向することで冷却風をランプ光源３に導き、その他の風路出口はＡ筺体４ａの壁面に接することで出口が閉じられる。
【００１２】
次に図２および図３を用いて動作の詳細な説明をする。図２および図３は照明装置を通常設置（床置き）している状態である。冷却風発生装置６で発生した冷却風は風路７の風路７ａと風路７ｂに分岐する。風路７ａの風路出口７ａａは発光管１の上部に冷却風が当たるように向けられ、風路７ｂの風路出口７ｂｂは発光管１の下部に冷却風が当たるように向けられている。発光管１は相対的に上部の温度が高いため、発光管１の上部から冷却風が導入されるように、ランプユニット１０を回転させて、冷却風入口５を風路７ａの風路出口７ａａと対向するように設定する。一方、風路７ｂの風路出口７ｂｂはＡ筺体４aの壁面と接することによって冷却風の出口は閉じられる。
【００１３】
次に図４を用いて照明装置を天地逆設置（天吊り）している状態を説明する。ランプユニット１０および冷却装置１１は天地逆設置によって図２に対して１８０度回転した位置に配置される。風路７ａの風路出口７ａａは発光管１の下部に冷却風が当たるように向けられ、風路７ｂの風路出口７ｂｂは発光管１の上部に冷却風が当たるように向けられている。発光管１は相対的に上部の温度が高いため、発光管１の上部から冷却風が導入されるように、ランプユニット１０を回転させて、冷却風入口５を風路７ｂの風路出口７ｂｂと対向するように設定する。一方、風路７ａの風路出口７ａａはＡ筺体４aの壁面と接することによって冷却風の出口は閉じられる。
【００１４】
これにより、通常設置、天地逆設置において、複数の冷却装置や複雑な機構、構造を用いることなく、高温になる発光管を適正な温度で均一に冷却することができる。
【００１５】
実施の形態２．
図５は本発明の実施の形態２を示す照明装置の通常設置時の正面図である。図６は本発明の実施の形態２を示す照明装置の天地逆設置時の正面図である。実施の形態１では風路７の冷却風が発光管１の上下方向へ吹き出すのに対して、実施の形態２では風路７の冷却風が発光管１の左右方向へ吹き出す構造となっている。また、風路７ａと風路７ｂの冷却風をそれぞれ所定の方向に向けるために、風路出口７ａａにルーバー１３ａを取り付け、風路出口７ｂｂにルーバー１３ｂを取り付けている。さらに、風路７ａと風路７ｂのうちいずれか一つの冷却風は発光管１の上部に冷却風が当たるように、他方の冷却風は発光管１の下部に冷却風が当たるようにするため、ルーバー１３ａとルーバー１３ｂは非対称となるように設置されている。なお、図５および図６において、図１から図４と同一符号のものは実施の形態１と同一または相当部分を示すものであり説明は省略する。
【００１６】
次に動作について説明する。図５は照明装置を通常設置（床置き）している状態である。冷却風発生装置６で発生した冷却風は風路７の風路７ａと風路７ｂに分岐する。風路７ａの風路出口７ａａはルーバー１３ａによって風向きが変更され発光管１の上部に冷却風が当たるように向けられ、風路７ｂの風路出口７ｂｂはルーバー１３ｂによって風向きが変更され発光管１の下部に冷却風が当たるように向けられている。発光管１は相対的に上部の温度が高いため、発光管１の上部から冷却風が導入されるように、ランプユニット１０を回転させて、冷却風入口５を風路７ａの風路出口７ａａと対向するように設定する。一方、風路７ｂの風路出口７ｂｂはＡ筺体４aの壁面と接することによって冷却風の出口は閉じられる。
【００１７】
図６を用いて照明装置を天地逆設置（天吊り）している状態を説明する。ランプ光源１０および冷却装置１１は天地逆設置によって図５に対して１８０度回転した位置に配置される。風路７ａの風路出口７ａａはルーバー１３ａによって風向きが変更され発光管１の下部に冷却風が当たるように向けられ、風路７ｂの風路出口７ｂｂはルーバー１３ｂによって風向きが変更され発光管１の上部に冷却風が当たるように向けられている。発光管１は相対的に上部の温度が高いため、発光管１の上部から冷却風が導入されるように、ランプユニット１０を回転させて、冷却風入口５を風路７ｂの風路出口７ｂｂと対向するように設定する。一方、風路７ａの風路出口７ａａはＡ筺体４aの壁面と接することによって冷却風の出口は閉じられる。
【００１８】
これにより、実施の形態１と同様に通常設置、天地逆設置において、複数の冷却装置や複雑な機構、構造を用いることなく、高温になる発光管を適正な温度で均一に冷却することができる。
【００１９】
なお、冷却風を所定の部分に向ける方法としてルーバー取り付けた例を説明したが、風路７ａおよび風路７ｂの内壁に傾斜をつけてもよい。
【００２０】
実施の形態３．
図７は本発明の実施の形態３を示す照明装置の通常設置時（床置き）の側面図、図８は本発明の実施の形態３を示す照明装置の通常設置時（床置き）の正面図、図９は本発明の実施の形態３を示す照明装置の天地逆設置時（天吊り）の正面図である。実施の形態１では、前記風路７の分岐した風路７ａと風路７ｂのそれぞれの風路出口７ａａと風路出口７ｂｂを１８０度対向させるのに対して、実施の形態３では風路出口７ａａと風路出口７ｂｂを９０度対向させている。また、風路７ｂの冷却風を所定の方向に向けるために、風路７ｂの内壁に傾斜板１４ａと傾斜板１４ｂをつけている。なお、図７から図９において、図１から図４と同一符号のものは実施の形態１と同一または相当部分を示すものであり説明は省略する。
【００２１】
図７および図８を用いて照明装置を通常設置（床置き）している状態を説明する。風路７ａの風路出口７ａａは発光管１の上部に冷却風が当たるように向けられ、風路７ｂの風路出口７ｂｂは風路７ｂ内壁の傾斜板１４ａおよび傾斜板１４ｂによって風向きが変更され発光管１の下部に冷却風が当たるように向けられている。発光管１は相対的に上部の温度が高いため、発光管１の上部から冷却風が導入されるように、ランプユニット１０を回転させて、冷却風入口５を風路７ａの風路出口７ａａと対向するように設定する。一方、風路７ｂの風路出口７ｂｂはＡ筺体４aの壁面と接することによって冷却風の出口は閉じられる。
【００２２】
図９を用いて照明装置を天地逆設置（天吊り）している状態を説明する。冷却装置１１は天地逆設置によって図８に対して１８０度回転した位置に配置される。風路７ａの風路出口７ａａは発光管１の下部に冷却風が当たるように向けられ、風路７ｂの風路出口７ｂｂは風路７ｂ内壁の傾斜板１４ａおよび傾斜板１４ｂによって風向きが変更され発光管１の上部に冷却風当たるように向けられている。発光管１は相対的に上部の温度が高いため、発光管１の上部から冷却風が導入されるように、ランプユニット１０を回転させて、冷却風入口５を風路７ｂの風路出口７ｂｂと対向するように設定する。一方、風路７ａの風路出口７ａａはＡ筺体４aの壁面と接することによって冷却風の出口は閉じられる。
【００２３】
これにより、通常設置、天地逆設置において、複数の冷却装置や複雑な機構、構造を用いることなく、高温になる発光管を適正な温度で均一に冷却することができ、さらに風路を短く設計できるため冷却効率を改善でき、部品の材料費も低く抑えることができる。
【００２４】
なお、実施の形態１から実施の形態３では通常設置および天地逆設置を例に説明したが、本発明によれば、発光管を冷却するのに最も適した風路を選択して冷却風を取り込むことができるので、天井への投写や床への投写を例とするさまざまな設置姿勢に対して適用可能である。
【００２５】
実施の形態１から実施の形態３では風路が２本に分岐している形態で説明したが、これに限定するものではなく、風路を３本以上に分岐してもよい。
【００２６】
また、実施の形態１から実施の形態３ではランプユニット１０のＡ筺体４aは筒状の形として説明したが、多角柱であってもよく、Ａ筺体４aとＢ筺体４ｂは一体形状であってもよい。
【００２７】
実施の形態４．
図１０は本発明の実施の形態４を示す照明装置の構成を示す図である。実施の形態１から実施の形態３ではランプユニット１０を回転させたが、実施の形態４では、ランプ光源３に冷却風入口５を設置して、ランプ光源３をランプ光源３の光軸を軸に回転させる。なお、図１０において、図２と同一符号のものは実施の形態１と同一または相当部分を示すものであり説明は省略する。これにより、実施の形態１と同様に通常設置、天地逆設置において、複数の冷却装置や複雑な機構、構造を用いることなく、高温になる発光管を適正な温度で均一に冷却することができる。
【００２８】
実施の形態５．
図１１は本発明の実施の形態５を示す照明装置の構成を示す図である。実施の形態１から実施の形態３では、ランプユニット１０は冷却風入口５およびランプ光源３とともにランプ光源３の光軸を軸にして回転方向のみ動かせるようになっており、光を照射位置に取り付けた状態でランプユニット１０を回転させて、冷却風を取り込む風路を変更しているが、実施の形態５では照明装置１２にランプユニット１０脱着用の四角柱の収納箱３５を備え、また、ランプユニット１０および収納箱３５を上下方向に対称な形状にしたので、ランプユニット１０の取り付け位置を装着方向の入れ替えによって２箇所設けている。これによって、適正な風路の選択をランプユニット１０の脱着によって行なえるようにしている。なお、図１１において、図２および図３と同一符号のものは実施の形態１と同一または相当部分を示すものであり説明は省略する。
【００２９】
動作について図１１を用いて説明する。太破線で示す収納箱３５の後方は開放されており、矢印方向にランプユニット１０を挿入がすることができ、収納箱３５の前方にはＡ筺体４aがはみ出すように穴を備えている。ランプユニット１０のＢ筺体４ｂと収納箱３５は光軸１５に対して上下対称の形状としており、ランプユニット１０を上下を入れ替えて収納箱３５に装着することができる。図１１は通常設置の状態を示しており、この場合は、冷却風は風路７ａの風路出口７ａａから冷却風入口５を介してランプ光源３に導入され、発光管１は高温になる上部から冷却される。この照明装置１２をこのまま天地逆設置した場合は、冷却風がランプユニット１０の下部から導入されることになるので、ランプユニット１０を取り外し、上下入れ替えて装着することで、冷却風は風路７ｂの風路出口７ｂｂから冷却風入口５を介してランプ光源３に導入され、発光管１は高温になる上部から冷却される。
【００３０】
このような構成にすることで、投写型画像表示装置３１を据え付けした後に、ランプユニット１０を取り付けすることが可能となり設置において作業性が向上する。また、ランプ交換が簡単になる。
【００３１】
なお、ここではランプユニット１０は上下の入れ替えを可能としたが、それに限定するものでなく、B筺体４ｂや収納箱３５を多角柱や円柱状にすることでさまざまな方向で入れ替えすることができる。また、ランプ光源３に冷却風入口５を設置して、ランプ光源３をランプユニット１０内で光軸を軸に回転させてからとりつけても同様の効果が得られる。
【００３２】
さらに、ランプユニット１０の取り付け方向の不備を防止するため、ランプユニット１０や投写型画像表示装置３１に通常設置や天地逆設置などそれぞれに対応したランプユニット１０の設置方向を表示してもよい。
【００３３】
実施の形態６．
図１２は本発明の実施の形態６を示す照明装置の構成を示す側面図である。実施の形態１から４ではランプユニット１０やランプ光源３を直接回転させる形態であるが、実施の形態６ではランプユニット１０に照明装置１２の外部から回転力を与える回転手段９を備えている。なお、図１２において、図２と同一符号のものは実施の形態１と同一または相当部分を示すものであり説明は省略する。
【００３４】
図１２を用いて構成を説明する。ランプユニット１０は、ランプ支持部品１６ａとランプ支持部品１６ｂによって、ランプユニット１０の光軸１５を軸に回転できるように保持されており、透過板８の反対側から棒形状の連結部品１７を介して、ランプユニット１０を回転させる回転手段９につながっている。このような構成にすることによって、本発明の照明装置を備えた投写型画像表示装置３１は、回転手段９で投写型画像表示装置３１の外部からランプユニット１０の回転操作が可能になるので、投写型画像表示装置３１を据え付けしたあとに、設置状態に適した冷却条件になるようにランプユニット１０の取り付け位置を変更できる。
【００３５】
なお、ランプユニット１０の保持手段は、ランプユニット１０がランプ光源３の光軸１５を軸に回転できれば、その他の手段でもよい。また、ランプユニット１０と回転手段９の連結にギヤを組み合わせてもよい。
また、投写型画像表示装置３１の内部に回転手段９を設けることも可能である。また、ランプ光源３に冷却風入口５を設置し、ランプ光源３に回転手段９を取り付けて回転力を与えても良い。
【００３６】
実施の形態７．
図１３は本発明の実施の形態７を示す照明装置を備えた投写型画像表示装置の構成を示すブロック図である。図１３を用いて構成を説明する。実施の形態７では実施の形態１に加えて、ランプユニット１０の設置位置を検出する検出手段２５と、検出手段２５の位置情報によってスクリーン４０に表示する画像の上下位置を反転させる表示切換手段２４と、を備える。なお、図１３において、図１および図１２と同一符号のものは実施の形態１または実施の形態５と同一または相当部分を示すものであり説明は省略する。
【００３７】
次に動作について説明をする。投写型画像表示装置３１を通常設置（床置き）もしくは天地逆設置（天吊り）いずれかを実施したとき、ランプ光源３の発光管１を高温部分から冷却するために冷却風入口５を最適な風路出口と対向するようにランプユニット１０を回転し設置する。検出手段２５はランプユニット１０の設置位置を検出し、検出した位置情報を表示切換手段２４に通知する。表示切換手段２４は検出手段２５が検出したランプユニット１０の設置位置の情報によって、スクリーン４０に表示される画像の上下位置が正しく表示されるように画像を切換えて、画像変調手段２１に入力する。
【００３８】
これによって、画像の上下位置反転設定の簡易化が可能となり、また、画像の表示状態を確認することでランプユニット１０の設置不備を検出することができる。
なお、ランプユニット１０の設置位置を検出する検出手段としてセンサーや接点が使用できる。また、ランプ光源３に冷却風入口５を設置して、ランプ光源３に検出手段２５を取り付けてもよい。
【００３９】
実施の形態８．
図１４は本発明の実施の形態８を示す照明装置を備えた投写型画像表示装置の構成を示すブロック図である。図１４を用いて構成を説明する。実施の形態８では実施の形態１に加えて、スクリーン４０に表示する画像表示の上下位置を反転させる表示切換手段２７と、表示切換手段２７に画像の反転、非反転を指示する切換スイッチ２８と、表示切換手段２７の画像の上下位置情報によって、回転手段９を駆動しランプユニット１０を回転させる駆動手段２６を備える。なお、図１４において、図１から図４と同一符号のものは実施の形態１と同一または相当部分を示すものであり説明は省略する。
【００４０】
次に動作について説明をする。投写型画像表示装置３１を通常設置（床置き）もしくは天地逆設置（天吊り）いずれかを実施したとき、スクリーン４０上の画像の上下位置が正しく表示されるように使用者は切換スイッチ２８を操作し画像を反転するか非反転かを選択する。表示切換手段２７は切換スイッチ２８の設定にしたがって画像の上下位置を切換えて、変調手段２１に入力するとともに、駆動手段２６を制御して、回転手段９を介してランプユニット１０を自動で回転させ、発光管１が高温部分から冷却されるように冷却風入口５を最適な風路出口と対向させる。
【００４１】
これにより、画像の上下反転操作と同時に照明装置の冷却条件を自動で設定するため、ランプ光源の設置不備を防止することができる。
【００４２】
なお、駆動手段２６にはモーターなどが考えられ、切換スイッチ２８はボタンなどの電子スイッチやメニューの設定などが考えられる。また、ランプ光源３に冷却風入口５を設置し、ランプ光源３に回転手段９を取り付けて回転させてもよい。
【符号の説明】
【００４３】
３    ランプ光源
５    冷却風入口
６    冷却風発生装置
７ａ  風路
７ｂ  風路
９    回転手段
１０    ランプユニット
１１    冷却装置
１２    照明装置
２３    投写手段
２４    表示切換手段
２５    検出手段
２６    駆動手段
２７    表示切換手段
２８    切換スイッチ
３１    投写型画像表示装置
【図１】
2013076729.tif 000003
【図２】
2013076729.tif 000004
【図３】
2013076729.tif 000005
【図４】
2013076729.tif 000006
【図５】
2013076729.tif 000007
【図６】
2013076729.tif 000008
【図７】
2013076729.tif 000009
【図８】
2013076729.tif 000010
【図９】
2013076729.tif 000011
【図１０】
2013076729.tif 000012
【図１１】
2013076729.tif 000013
【図１２】
2013076729.tif 000014
【図１３】
2013076729.tif 000015
【図１４】
2013076729.tif 000016